(57)【要約】【課題】露光ユニットに対する振動の影響を抑制することで画像品質の低下を抑制することが可能な画像形成装置を提供する。【解決手段】画像形成装置は、感光体ドラム５３を露光するＬＥＤユニット４０と、ＬＥＤユニット４０を感光体ドラム５３に向けて押圧する押圧バネ４５と、ＬＥＤユニット４０に当接することで、前後方向においてＬＥＤユニット４０の位置を決める第１位置決め部材１１０と、上下方向において第１位置決め部材１１０よりも感光体ドラム５３に近い側に配置され、ＬＥＤユニット４０に当接することで、前後方向においてＬＥＤユニット４０の位置を決める第２位置決め部材１２０と、ＬＥＤユニット４０を第２位置決め部材１２０に向けて押圧する第２押圧部材４６とを備えている。押圧バネ４５がＬＥＤユニット４０を押圧する作用点４５Ａは、上下方向において第１位置決め部材１１０よりも感光体ドラム５３に近い側に位置している。【選択図】図３
2010052153.tif 000002
【特許請求の範囲】
【請求項１】
静電潜像が形成される感光体と、
複数の明滅部を有して前記感光体を露光する露光ユニットと、
前記露光ユニットを前記感光体に向けて押圧する第１押圧部材と、
前記露光ユニットに当接することで、前記感光体の前記露光ユニットに対面する部分の移動方向において、前記露光ユニットの位置を決める第１位置決め部材と、
前記露光ユニットから出射される光の光軸方向において前記第１位置決め部材よりも前記感光体に近い側に配置され、前記露光ユニットに当接することで、前記移動方向において、前記露光ユニットの位置を決める第２位置決め部材と、
前記露光ユニットを前記第２位置決め部材に向けて押圧する第２押圧部材とを備え、
前記第１押圧部材が前記露光ユニットを押圧する作用点は、前記光軸方向において前記第１位置決め部材よりも前記感光体に近い側に位置していることを特徴とする画像形成装置。
【請求項２】
前記作用点は、前記光軸方向において前記第１位置決め部材と前記第２位置決め部材との間に位置していることを特徴とする請求項１に記載の画像形成装置。
【請求項３】
前記第１位置決め部材および前記第２位置決め部材は、前記露光ユニットに対し、一方が前記移動方向の上流側に配置され、他方が前記移動方向の下流側に配置されており、
前記第２押圧部材が前記露光ユニットを押圧する部分は、前記露光装置を挟んで前記第２位置決め部材に対向する位置にあるか、または、前記第２位置決め部材よりも前記感光体に近い側に位置していることを特徴とする請求項２に記載の画像形成装置。
【請求項４】
前記露光ユニットに当接することで、前記移動方向において、前記露光ユニットの位置を決める第３位置決め部材を備え、
前記第１位置決め部材および前記第２位置決め部材は、前記露光ユニットの長手方向一端側に配置され、
前記第３位置決め部材は、前記露光ユニットの長手方向他端側であり、かつ、前記移動方向の上流側および下流側のうち前記第２位置決め部材と同じ側であって、前記光軸方向において前記第１位置決め部材と前記第２位置決め部材との間に配置され、
前記作用点は、前記移動方向から見て前記第１位置決め部材、前記第２位置決め部材および前記第３位置決め部材によって形成される三角形の領域内に位置していることを特徴とする請求項３に記載の画像形成装置。
【請求項５】
前記第１位置決め部材と前記第２位置決め部材は、前記露光ユニットに対し、前記移動方向の上流側または下流側のいずれか一方に配置され、
前記第２押圧部材が前記露光ユニットを押圧する部分は、前記光軸方向において前記第１位置決め部材と前記第２位置決め部材との間に位置していることを特徴とする請求項２に記載の画像形成装置。
【請求項６】
前記露光ユニットに当接することで、前記移動方向において、前記露光ユニットの位置を決める第３位置決め部材を備え、
前記第１位置決め部材および前記第２位置決め部材は、前記露光ユニットの長手方向一端側に配置され、
前記第３位置決め部材は、前記露光ユニットの長手方向他端側であり、かつ、前記移動方向の上流側および下流側のうち前記第１位置決め部材および前記第２位置決め部材と同じ側であって、前記光軸方向において前記第１位置決め部材と前記第２位置決め部材との間に配置され、
前記作用点は、前記移動方向から見て前記第１位置決め部材、前記第２位置決め部材および前記第３位置決め部材によって形成される三角形の領域内に位置していることを特徴とする請求項５に記載の画像形成装置。
【請求項７】
前記露光ユニットは、前記複数の明滅部を有する露光部材と、前記露光部材を支持する支持フレームとを有し、
前記作用点は前記支持フレームにあり、前記第１位置決め部材および前記第２位置決め部材は前記支持フレームに当接することを特徴とする請求項１から請求項６のいずれか１項に記載の画像形成装置。
【請求項８】
静電潜像が形成される感光体と、
複数の明滅部を有して前記感光体を露光する露光ユニットと、
前記露光ユニットを前記感光体に向けて押圧する第１押圧部材と、
前記露光ユニットから出射される光の光軸方向において所定長さを有し、前記露光ユニットに面接触することで、前記感光体の前記露光ユニットに対面する部分の移動方向において、前記露光ユニットの位置を決める第４位置決め部材と、
前記露光ユニットを挟んで前記第４位置決め部材に対面する位置に配置され、前記露光ユニットを前記第４位置決め部材に向けて押圧する第２押圧部材とを備え、
前記第１押圧部材が前記露光ユニットを押圧する作用点は、前記移動方向から見て前記露光ユニットと前記第４位置決め部材とが面接触する領域の外枠の範囲内に位置していることを特徴とする画像形成装置。
【発明の詳細な説明】
【技術分野】
【０００１】
本発明は、複数の明滅部を有する露光ユニットによって感光体を露光する画像形成装置に関する。
【背景技術】
【０００２】
一般に、プリンタなどの画像形成装置に用いられる露光ユニットとして、配列された複数の明滅部（ＬＥＤなど）を有し、感光体に近接した位置で感光体を露光するもの（ＬＥＤヘッドなど）が知られている（例えば、特許文献１参照）。
【０００３】
このような露光ユニットは、明滅部から出射される光の光軸方向において、コイルバネなどの押圧部材で感光体に向けて押圧されている。また、露光ユニットは、感光体の露光ユニットに対面する部分の移動方向における揺動を抑制するため、感光体の移動方向において少なくとも２つのまたは面状の位置決め部材に当接することで位置決めされている。
【０００４】
【特許文献１】特開２００８−１８７００号公報（図２，３参照）
【発明の開示】
【発明が解決しようとする課題】
【０００５】
ところで、画像形成装置では、例えば、画像形成中に厚紙が感光体ドラム（感光体）に当接するときの衝撃などで微細な振動が発生する。この振動は、押圧部材が露光ユニットを感光体に向けて押圧する作用点を感光体の移動方向にずらすことで、露光ユニットを位置決め部材から引き離す力として作用することがある。押圧部材の作用点が感光体の移動方向にずれて露光ユニットが位置決め部材から離れると、露光ユニットの感光体に対する位置が変化するので、画像品質を低下させる原因となる。
【０００６】
そこで、本発明は、露光ユニットに対する振動の影響を抑制することで画像品質の低下を抑制することが可能な画像形成装置を提供することを目的とする。
【課題を解決するための手段】
【０００７】
前記した目的を達成するため、本発明の画像形成装置は、静電潜像が形成される感光体と、複数の明滅部を有して前記感光体を露光する露光ユニットと、前記露光ユニットを前記感光体に向けて押圧する第１押圧部材と、前記露光ユニットに当接することで、前記感光体の前記露光ユニットに対面する部分の移動方向において、前記露光ユニットの位置を決める第１位置決め部材と、前記露光ユニットから出射される光の光軸方向において前記第１位置決め部材よりも前記感光体に近い側に配置され、前記露光ユニットに当接することで、前記移動方向において、前記露光ユニットの位置を決める第２位置決め部材と、前記露光ユニットを前記第２位置決め部材に向けて押圧する第２押圧部材とを備え、前記第１押圧部材が前記露光ユニットを押圧する作用点は、前記光軸方向において前記第１位置決め部材よりも前記感光体に近い側に位置していることを特徴とする。
【０００８】
このように構成された画像形成装置によれば、第１押圧部材が露光ユニットを押圧する作用点が、光軸方向において第１位置決め部材よりも感光体に近い側に位置しているので、振動により作用点が感光体の移動方向のいずれにずれても、露光ユニットが位置決め部材から離れる作用（振動の影響）を抑制することができる。
【０００９】
具体的には、作用点がずれて露光ユニットに位置決め部材から引き離す力が作用した場合、例えば、露光ユニットが第１位置決め部材および／または第２位置決め部材によって支持されることで、露光ユニットの感光体に対する位置を安定させることができる。また、第２押圧部材の押圧力により、露光ユニットが位置決め部材から離れることが規制されることでも、露光ユニットの感光体に対する位置を安定させることができる。さらに、露光ユニットに位置決め部材から引き離す力が作用したときの揺動中心（支点）と作用点との距離が近いので、露光ユニットを揺動させるのに比較的大きな力が必要となるため、微細な振動による小さな力に対しては露光ユニットの感光体に対する位置を安定させることができる。
【００１０】
また、本発明の画像形成装置は、静電潜像が形成される感光体と、複数の明滅部を有して前記感光体を露光する露光ユニットと、前記露光ユニットを前記感光体に向けて押圧する第１押圧部材と、前記露光ユニットから出射される光の光軸方向において所定長さを有し、前記露光ユニットに面接触することで、前記感光体の前記露光ユニットに対面する部分の移動方向において、前記露光ユニットの位置を決める第４位置決め部材と、前記露光ユニットを挟んで前記第４位置決め部材に対面する位置に配置され、前記露光ユニットを前記第４位置決め部材に向けて押圧する第２押圧部材とを備え、前記第１押圧部材が前記露光ユニットを押圧する作用点は、前記移動方向から見て前記露光ユニットと前記第４位置決め部材とが面接触する領域の外枠の範囲内に位置していることを特徴とする。
【００１１】
このように構成された画像形成装置によれば、第１押圧部材が露光ユニットを押圧する作用点が、感光体の移動方向から見て露光ユニットと第４位置決め部材とが面接触する領域の外枠の範囲内に位置しているので、振動により作用点が感光体の移動方向のいずれにずれても、露光ユニットが位置決め部材から離れる作用（振動の影響）を抑制することができる。
【００１２】
具体的には、作用点がずれて露光ユニットに位置決め部材から引き離す力が作用した場合、一方は露光ユニットが第４位置決め部材によって支持されるので、露光ユニットの感光体に対する位置を安定させることができる。また、他方は第２押圧部材の押圧力により、露光ユニットが位置決め部材から離れることが規制されるので、露光ユニットの感光体に対する位置を安定させることができる。
【発明の効果】
【００１３】
本発明の画像形成装置によれば、露光ユニットに対する振動の影響を抑制して露光ユニットの感光体に対する位置を安定させることができるので、結果として画像品質の低下を抑制することができる。
【発明を実施するための最良の形態】
【００１４】
［第１実施形態］
次に、本発明の実施形態について、適宜図面を参照しながら詳細に説明する。参照する図面において、図１は画像形成装置の一例としてのカラープリンタの全体構成を示す断面図である。
【００１５】
以下の説明において、方向は、カラープリンタを使用するユーザを基準にした方向で説明する。すなわち、図１において、紙面に向かって右側を「前」側、紙面に向かって左側を「後」側とし、紙面に向かって手前側を「左」側、紙面に向かって奥側を「右」側とする。また、紙面に向かって上下方向を「上下」方向とする。
【００１６】
図１に示すように、カラープリンタ１は、本体筐体１０内に、用紙Ｐ（記録シート）を供給する給紙部２０と、給紙された用紙Ｐに画像を形成する画像形成部３０と、画像が形成された用紙Ｐを排出する排紙部９０とを主に備えている。
【００１７】
本体筐体１０の上部には、後側に設けられた回動軸１２Ａを中心として上下に回動可能（開閉可能）に構成されたトップカバー１２が設けられている。このトップカバー１２は、上面が本体筐体１０から排出された用紙Ｐを蓄積する排紙トレイ１３となっており、下面にはＬＥＤユニット４０（露光ユニット）を支持する複数のＬＥＤ取付部１４が設けられている。
【００１８】
また、本体筐体１０内には、後述する各プロセスカートリッジ５０を着脱可能に収容する本体フレーム１５が設けられている。本体フレーム１５は、左右方向で対向する一対の金属製のサイドフレーム１５Ａ（片側のみ図示）と、一対のサイドフレーム１５Ａを連結する前後に設けられたクロスメンバー１５Ｂとから構成されている。この本体フレーム１５は、本体筐体１０などに固定されている。
【００１９】
給紙部２０は、本体筐体１０内の下部に設けられ、本体筐体１０に着脱可能に装着される給紙トレイ２１と、給紙トレイ２１から用紙Ｐを画像形成部３０へ供給する用紙供給機構２２とを主に備えている。用紙供給機構２２は、給紙トレイ２１の前側に設けられ、給紙ローラ２３、分離ローラ２４、分離パッド２５などを主に備えている。
【００２０】
このように構成される給紙部２０では、給紙トレイ２１内の用紙Ｐが、用紙供給機構２２により１枚ずつ分離されて上方へ送られ、紙粉取りローラ２６とピンチローラ２７の間を通過する過程で紙粉が除去された後、搬送経路２８を通って後方に方向転換され、画像形成部３０に供給される。
【００２１】
画像形成部３０は、４つの露光ユニットの一例としてのＬＥＤユニット４０と、４つのプロセスカートリッジ５０と、転写ユニット７０と、定着ユニット８０とから主に構成されている。
【００２２】
ＬＥＤユニット４０は、筒状の感光体ドラム５３（感光体）の上方に対向配置され、感光体ドラム５３の表面を露光するように構成されている。各ＬＥＤユニット４０は、ホルダ１６を介してＬＥＤ取付部１４（トップカバー１２）に支持され、後述する第１位置決め部材１１０や第２位置決め部材１２０などによって適宜位置決めされている。４つのＬＥＤユニット４０は、トップカバー１２に支持されているので、トップカバー１２を上方へ回動させることで感光体ドラム５３に近接する位置から離間する位置へ移動可能となっている（図示省略）。ＬＥＤユニット４０の詳細な構成については後述する。
【００２３】
プロセスカートリッジ５０は、トップカバー１２と給紙部２０との間で前後方向に並んで配置され、静電潜像が形成される感光体の一例としての感光体ドラム５３や、符号を省略して示す公知の帯電器、現像ローラ、供給ローラ、トナー収容部などを備えている。
【００２４】
転写ユニット７０は、給紙部２０と各プロセスカートリッジ５０との間に設けられ、駆動ローラ７１と、従動ローラ７２と、搬送ベルト７３と、転写ローラ７４とを主に備えている。
【００２５】
駆動ローラ７１と従動ローラ７２は、前後方向に離間して平行に配置され、その間に無端状の搬送ベルト７３が張設されている。搬送ベルト７３は、外側の面が各感光体ドラム５３に接しており、内側には各感光体ドラム５３との間で搬送ベルト７３を挟持する転写ローラ７４が各感光体ドラム５３に対向して４つ配置されている。この転写ローラ７４には転写時に転写バイアスが印加される。
【００２６】
定着ユニット８０は、各プロセスカートリッジ５０および転写ユニット７０の後方に配置され、加熱ローラ８１と、加熱ローラ８１と対向配置され加熱ローラ８１を押圧する加圧ローラ８２とを備えている。
【００２７】
このように構成される画像形成部３０では、まず、各感光体ドラム５３の表面が、帯電器により一様に帯電された後、各ＬＥＤユニット４０から出射される光により露光される。これにより、露光された部分の電位が下がって、各感光体ドラム５３上に画像データに基づく静電潜像が形成される。その後、静電潜像に現像ローラからトナーが供給されることで、各感光体ドラム５３上にトナー像が形成される。
【００２８】
そして、搬送ベルト７３上に供給された用紙Ｐが各感光体ドラム５３と搬送ベルト７３の内側に配置される各転写ローラ７４との間を通過することで、各感光体ドラム５３上に形成されたトナー像が用紙Ｐ上に順次重ね合わせて転写される。その後、用紙Ｐが加熱ローラ８１と加圧ローラ８２との間を通過することで、用紙Ｐ上に転写されたトナー像が熱定着される。
【００２９】
排紙部９０は、定着ユニット８０の出口から上方に向かって延び、前方に方向転換するように形成された排紙側搬送経路９１と、用紙Ｐを搬送する複数の搬送ローラ９２とを主に備えている。トナー像が熱定着された用紙Ｐは、搬送ローラ９２によって排紙側搬送経路９１を搬送され、本体筐体１０の外部に排出されて排紙トレイ１３に蓄積される。
【００３０】
次に、本発明の特徴部分について説明する。図２はＬＥＤユニットおよびＬＥＤユニット周辺の構成を前方から見た図であり、図３はＬＥＤユニットおよびＬＥＤユニット周辺の構成を左方から見た図である。
【００３１】
ここで、以下の説明において、方向は、図１に示すＬＥＤユニット４０が感光体ドラム５３に近接した状態を基準とした方向で説明する。また、以下の説明において、「光軸方向」とは、ＬＥＤユニット４０（ＬＥＤヘッド４１）から出射される光の光軸方向をいうものとし、本実施形態では上下方向と略一致する。さらに、「移動方向」とは、感光体ドラム５３のＬＥＤユニット４０（ＬＥＤヘッド４１）に対面する部分の移動方向をいうものとし、本実施形態では前後方向と略一致する。
【００３２】
まず、ＬＥＤユニット４０およびその周辺の構成について詳細に説明する。
図２に示すように、ＬＥＤユニット４０は、露光部材の一例としてのＬＥＤヘッド４１と、支持フレーム４２と、２つのガイドローラ４３と、２つの偏心カム４４とを主に備えている。
【００３３】
ＬＥＤヘッド４１は、複数の明滅部の一例としての左右方向に一列に配列された複数のＬＥＤアレイ４１Ａと、レンズアレイ４１Ｂと、ＬＥＤアレイ４１Ａやレンズアレイ４１Ｂなどを支持する樹脂製のヘッドフレーム４１Ｃとから主に構成されている。なお、ＬＥＤヘッド４１は、左右方向に並ぶＬＥＤアレイ４１Ａの列を前後に複数列有する構成としてもよい。
【００３４】
ＬＥＤアレイ４１Ａは、半導体チップであり、複数のＬＥＤが配列されて構成されている。
レンズアレイ４１Ｂは、ＬＥＤアレイ４１Ａから出射された光を感光体ドラム５３の表面に結像させるものであり、光の出射面が平面状に形成される屈折率分布型レンズの一例としてのガラス製のＧＲＩＮレンズ（円柱状レンズ）を一列に並べて構成されている。
【００３５】
支持フレーム４２は、ＬＥＤヘッド４１を上側から支持する樹脂製の部材であり、ホルダ１６を介してＬＥＤ取付部１４に取り付けられている（図１参照）。この支持フレーム４２は、フレーム本体４２Ａと、フレーム本体４２Ａの左右両端側から下方に延びるローラ支持部４２Ｂとから主に構成されている。なお、ホルダ１６が支持フレーム４２を支持する構成の詳細については説明を省略する。
【００３６】
フレーム本体４２Ａは、左右両端側の各ローラ支持部４２Ｂの上方（略真上）に、上面から下方に凹む凹部４２Ｃが形成されている。凹部４２Ｃには、第１押圧部材の一例としての押圧バネ４５（圧縮コイルバネ）が上端を支持フレーム４２の上面から突出させた状態で配置されている。
【００３７】
押圧バネ４５は、上端がホルダ１６に取り付けられ、下端が凹部４２Ｃの底面に当接しているので、押し縮められたときに支持フレーム４２（ＬＥＤユニット４０）を感光体ドラム５３に向けて押圧することとなる。なお、図示は省略するが、凹部４２Ｃの前後には、上下方向に連続した、または不連続（例えば、格子状）のフレーム本体４２Ａと一体に設けられた壁部が形成されている。これにより、押圧バネ４５の座屈が防止されるので、支持フレーム４２を感光体ドラム５３に向けて安定して押圧することができる。
【００３８】
ローラ支持部４２Ｂは、下端にガイドローラ４３が回転可能に支持されている。
ガイドローラ４３は、ＬＥＤユニット４０が感光体ドラム５３に近接する位置にあるときに、感光体ドラム５３の表面に接することで、ＬＥＤヘッド４１と感光体ドラム５３との間隔を一定に保持する間隔保持部材である。このガイドローラ４３は、押圧バネ４５からの押圧力が支持フレーム４２を介して伝達されることで、感光体ドラム５３に押し付けられ、感光体ドラム５３に対して従動回転するようになっている。
【００３９】
なお、ガイドローラ４３は、感光体ドラム５３の表面のうち感光層（露光されて静電潜像が形成される層）に接してもよいし、左右方向において感光層よりも外側の領域（感光層がない領域）に接してもよい。
【００４０】
ここで、前記したように、フレーム本体４２Ａのローラ支持部４２Ｂの上方（略真上）には凹部４２Ｃが形成され、凹部４２Ｃには支持フレーム４２を感光体ドラム５３に向けて押圧する押圧バネ４５が配置されている。したがって、ガイドローラ４３は、押圧バネ４５によって略真上から押圧されることとなる。これにより、押圧バネ４５の押圧力による支持フレーム４２やＬＥＤヘッド４１の変形（湾曲など）を最小限にすることができるので、ＬＥＤユニット４０（詳細にはＬＥＤアレイ４１Ａ）の感光体ドラム５３に対する位置を安定させることができる。
【００４１】
偏心カム４４は、ＬＥＤヘッド４１と支持フレーム４２（フレーム本体４２Ａ）との間に配置された公知の偏心カムである。ＬＥＤユニット４０は、偏心カム４４を適宜回転させることで、ＬＥＤヘッド４１と支持フレーム４２との間隔を調整できるようになっている。なお、支持フレーム４２がＬＥＤヘッド４１を支持する構成の詳細については説明を省略する。
【００４２】
以上のように構成されるＬＥＤユニット４０は、本体フレーム１５に設けられる第１位置決め部材１１０、第２位置決め部材１２０、第３位置決め部材１３０および第２押圧部材４６によって、感光体ドラム５３に対して位置決めされている。以下、各部材の構成やＬＥＤユニット４０との位置関係などについて説明する。
【００４３】
図２および図３に示すように、第１位置決め部材１１０、第２位置決め部材１２０および第３位置決め部材１３０は、それぞれ、ＬＥＤユニット４０の支持フレーム４２（フレーム本体４２Ａ）に当接することで、感光体ドラム５３の移動方向（前後方向）においてＬＥＤユニット４０の位置を決めている。
【００４４】
第１位置決め部材１１０は、ＬＥＤユニット４０（フレーム本体４２Ａ）の左端側（長手方向一端側）の上部であって、ＬＥＤユニット４０の後側（ＬＥＤユニット４０に対して移動方向の上流側）に配置されている。この第１位置決め部材１１０は、本体フレーム１５（左側のサイドフレーム１５Ａの内面）に固定される板状の基部１１１と、基部１１１の前面から略半球状に突出する第１位置決め部１１２とから構成されている。
【００４５】
第２位置決め部材１２０は、ＬＥＤユニット４０（フレーム本体４２Ａ）の左端側であって、前後方向から見て第１位置決め部材１１０と上下に並ぶように配置されている。さらに述べると、第２位置決め部材１２０は、光軸方向（上下方向）において第１位置決め部材１１０よりも感光体ドラム５３に近い側（第１位置決め部材１１０の下方）であって、ＬＥＤユニット４０の前側（ＬＥＤユニット４０に対して移動方向の下流側）に配置されている。
【００４６】
この第２位置決め部材１２０は、本体フレーム１５（左側のサイドフレーム１５Ａの内面）に固定される板状の基部１２１と、基部１２１の後面から略半球状に突出する第２位置決め部１２２とから構成されている。
【００４７】
第３位置決め部材１３０は、ＬＥＤユニット４０（フレーム本体４２Ａ）の右端側（長手方向他端側）であり、かつ、前後方向において第２位置決め部材１２０と同じＬＥＤユニット４０の前側であって、上下方向において第２位置決め部材と同じ位置に配置されている。この第３位置決め部材１３０は、本体フレーム１５（右側のサイドフレーム１５Ａの内面）に固定される板状の基部（図示省略）と、基部の後面から略半球状に突出する第３位置決め部１３２とから構成されている。
【００４８】
第２押圧部材４６は、アーム部４６Ａとトーションバネ４６Ｂとから主に構成されている。アーム部４６Ａは、軸部４６Ｃを支点として、上部が本体フレーム１５（左側のサイドフレーム１５Ａ）に対して前後に揺動可能となるように取り付けられている。そして、アーム部４６Ａは、トーションバネ４６Ｂによって常時ＬＥＤユニット４０に向けて付勢されることで、ＬＥＤユニット４０を第２位置決め部材１２０に向けて押圧している。
【００４９】
この第２押圧部材４６は、ＬＥＤユニット４０（フレーム本体４２Ａ）の左右両端側であって、ＬＥＤユニット４０の後側に配置されている。詳細には、左右両端の各第２押圧部材４６は、それぞれ、ＬＥＤユニット４０を押圧する押圧部４６Ｄが、ＬＥＤユニット４０（支持フレーム４２）を挟んで第２位置決め部材１２０または第３位置決め部材１３０と対向するように配置されている（図３では片側のみ図示）。
【００５０】
以上のような構成により、ＬＥＤユニット４０は、第２位置決め部材１２０と第３位置決め部材１３０が支持フレーム４２の両端前側下部に当接し、第１位置決め部材１１０が支持フレーム４２の左端後側上部に当接することで、感光体ドラム５３に対する前後方向の位置が決められる。また、ＬＥＤユニット４０は、ガイドローラ４３が感光体ドラム５３の表面に接することで、感光体ドラム５３に対する上下方向の位置が決められる。
【００５１】
次に、ＬＥＤユニット４０の感光体ドラム５３に対する位置を安定させるための構成について説明する。以下の説明において、作用点４５Ａとは、押圧バネ４５がＬＥＤユニット４０（支持フレーム４２の凹部４２Ｃの底面）を感光体ドラム５３に向けて押圧する作用点をいうものとする。
【００５２】
図２および図３に示すように、押圧バネ４５の作用点４５Ａは、上下方向において第１位置決め部材１１０よりも感光体ドラム５３に近い側（第１位置決め部材１１０よりも下方）に位置している。より詳細に述べると、作用点４５Ａが、上下方向において第１位置決め部材１１０（第１位置決め部１１２）と第２位置決め部材１２０（第２位置決め部１２２）との間であって、前後方向から見て第１位置決め部１１２、第２位置決め部１２２および第３位置決め部１３２によって形成される三角形（鎖線参照）の領域内（三角形の辺上を含む）に位置している。
【００５３】
ここで、押圧バネ４５の作用点４５Ａが前記した位置にあることによる作用について説明する。図４は本実施形態の作用を説明するための図であり、押圧バネの作用点が第１位置決め部材と第２位置決め部材との間に位置する実施形態の構成を示す図（ａ）と、押圧バネの作用点が第１位置決め部材の上方に位置する比較例の構成を示す図（ｂ）と、押圧バネの作用点が第２位置決め部材の下方に位置する変形例の構成を示す図（ｃ）である。なお、図４（ａ）では、説明の便宜のため、作用点４５Ａを第１位置決め部材１１０と第２位置決め部材１２０との間の中央付近に図示している。
【００５４】
図４（ａ）に示す本実施形態の構成では、カラープリンタ１において微細な振動が発生し、例えば、作用点４５Ａが後方にずれてＬＥＤユニット４０を第２位置決め部材１２０から引き離す力ＦRが作用した場合、ＬＥＤユニット４０は第１位置決め部材１１０に支持され、さらに第２押圧部材４６の押圧力によってＬＥＤユニット４０が位置決め部材から離れることが規制される。これにより、ＬＥＤユニット４０の感光体ドラム５３に対する前後方向の位置を安定させることができる。
【００５５】
また、作用点４５Ａが前方にずれてＬＥＤユニット４０を第１位置決め部材１１０から引き離す力ＦFが作用した場合であっても、作用点４５Ａと揺動中心となる第２位置決め部材１２０との当接部分（支点Ｏ１）との距離が近いので、ＬＥＤユニット４０を揺動させるには、比較的大きな力が必要となる。そのため、微細な振動による比較的小さな力ではＬＥＤユニット４０の揺動が抑制されるので、ＬＥＤユニット４０の感光体ドラム５３に対する前後方向の位置を安定させることができる。
【００５６】
このように、本実施形態の構成では、振動によって作用点４５Ａが前後のいずれにずれても、ＬＥＤユニット４０が位置決め部材から離れる作用（振動の影響）を抑制して、ＬＥＤユニット４０の感光体ドラム５３に対する前後方向の位置を安定させることができる。
【００５７】
一方、図４（ｂ）に示す比較例の構成では、作用点４５Ａが後方にずれて力ＦRが作用した場合には、ＬＥＤユニット４０が第１位置決め部材１１０および第２位置決め部材１２０によって支持されるので、ＬＥＤユニット４０の前後方向の位置は安定する。しかしながら、作用点４５Ａが前方にずれて力ＦFが作用した場合には、作用点４５Ａと支点Ｏ１との距離が遠いので、ＬＥＤユニット４０は微細な振動による比較的小さな力でも揺動して第１位置決め部材１１０から離れてしまう（鎖線参照）。振動によって作用点４５Ａが前後のいずれにずれるかは制御できないので、一方でもＬＥＤユニット４０が位置決め部材から離れてしまう場合には、ＬＥＤユニット４０の感光体ドラム５３に対する位置を安定させることができない。
【００５８】
なお、本発明では、押圧バネ４５の作用点４５Ａを第２位置決め部材１２０の下方（第２位置決め部材１２０よりも感光体ドラム５３に近い側）に位置する構成としてもよい。
このような構成では、図４（ｃ）に示すように、作用点４５Ａが前方にずれて力ＦFが作用した場合には、ＬＥＤユニット４０は第１位置決め部材１１０および第２位置決め部材１２０によって支持されるので、ＬＥＤユニット４０の感光体ドラム５３に対する前後方向の位置を安定させることができる。
【００５９】
また、作用点４５Ａが後方にずれて力ＦRが作用した場合には、作用点４５Ａと揺動中心となる第２押圧部材４６の押圧部４６Ｄとの距離が近いので、ＬＥＤユニット４０を揺動させるには、比較的大きな力が必要となる。そのため、微細な振動による比較的小さな力ではＬＥＤユニット４０の揺動が抑制されるので、ＬＥＤユニット４０の感光体ドラム５３に対する前後方向の位置を安定させることができる。
【００６０】
しかしながら、この場合には、作用点４５Ａと支点Ｏ２との距離が遠いので、第１位置決め部材１１０がＬＥＤユニット４０を支持するという作用は期待できない。したがって、本実施形態のように、作用点４５Ａが第１位置決め部材１１０と第２位置決め部材１２０との間に位置する構成が、ＬＥＤユニット４０の感光体ドラム５３に対する位置を最も安定させることができる。
【００６１】
以上によれば、本実施形態において以下のような効果を得ることができる。
押圧バネ４５の作用点４５Ａが、上下方向において第１位置決め部材１１０よりも感光体ドラム５３に近い側（詳細には、第１位置決め部材１１０と第２位置決め部材１２０との間）に位置しているので、振動により作用点４５Ａが前後方向のいずれにずれても、ＬＥＤユニット４０が位置決め部材から離れる作用を抑制して、ＬＥＤユニット４０の感光体ドラム５３に対する位置を安定させることができる。これにより、ＬＥＤヘッド４１（ＬＥＤアレイ４１Ａ）と感光体ドラム５３との位置を安定させることができるので、カラープリンタ１における画像品質の低下を抑制することができる。
【００６２】
第１位置決め部材１１０がＬＥＤユニット４０の後側上部に、第２位置決め部材１２０がＬＥＤユニット４０の前側下部に配置され、第２押圧部材４６の押圧部４６ＤがＬＥＤユニット４０を挟んで第２位置決め部材１２０と対向するように配置されているので、ＬＥＤユニット４０に図３の反時計回りに回転する力が作用しても、第１位置決め部材１１０および第２位置決め部材１２０によって規制することができる。これにより、ＬＥＤユニット４０の感光体ドラム５３に対する位置を安定させることができる。
【００６３】
なお、本実施形態では、第２押圧部材４６の押圧部４６ＤがＬＥＤユニット４０を挟んで第２位置決め部材１２０と対向するように配置された構成を示したが、本発明はこれに限定されるものではない。例えば、第２押圧部材の露光ユニットを押圧する部分が、第２位置決め部材よりも感光体に近い側に位置するように配置される構成としてもよい。これによれば、第２押圧部材が、露光ユニット（ＬＥＤユニット４０）に図３の反時計回りに回転する力を加えることになるので、露光ユニットが第１位置決め部材および第２位置決め部材に向けて付勢される。これにより、ＬＥＤユニット４０の感光体ドラム５３に対する位置をより安定させることができる。
【００６４】
押圧バネ４５の作用点４５Ａが、前後方向から見て第１位置決め部１１２、第２位置決め部１２２および第３位置決め部１３２によって形成される三角形の領域内に位置しているので、ＬＥＤユニット４０が三角形の辺を軸として回転する力を最小限とすることができる。
【００６５】
押圧バネ４５の作用点４５Ａが支持フレーム４２（凹部４２Ｃの底面）にあり、第１位置決め部材１１０および第２位置決め部材１２０が支持フレーム４２に当接する構成としているので、ＬＥＤヘッド４１に力が作用することを防止することができる。これにより、感光体ドラム５３に対して高い位置精度が要求されるＬＥＤヘッド４１の変形などを防止することができるので、ＬＥＤアレイ４１Ａと感光体ドラム５３との位置精度を維持することができ、カラープリンタ１の画像品質を向上させることができる。
【００６６】
なお、本実施形態では、第１位置決め部材１１０がＬＥＤユニット４０の後側（移動方向の上流側）に配置され、第２位置決め部材１２０がＬＥＤユニット４０の前側（移動方向の下流側）に配置された構成を示したが、本発明はこれに限定されるものではない。すなわち、第１位置決め部材が移動方向の下流側に配置され、第２位置決め部材が移動方向の上流側に配置される構成としてもよい。
【００６７】
［第２実施形態］
次に、本発明の第２実施形態について、適宜図面を参照しながら詳細に説明する。図５は第２実施形態のＬＥＤユニットおよびＬＥＤユニット周辺の構成を左方から見た図であり、図６はＬＥＤユニットおよびＬＥＤユニット周辺の構成を前方から見た図である。なお、第２実施形態は、主にＬＥＤユニット周辺の構成と作用点の位置が第１実施形態と異なるので、その点について詳細に説明し、同様の構成要素については同一符号を付してその説明を省略することとする。
【００６８】
本実施形態において、ＬＥＤユニット４０は、本体フレーム１５に設けられる位置決め部材１４０、第３位置決め部材１３０および第２押圧部材４６によって、感光体ドラム５３に対して位置決めされている。
【００６９】
図５および図６に示すように、位置決め部材１４０は、ＬＥＤユニット４０（フレーム本体４２Ａ）の左端側（長手方向一端側）であって、かつ、ＬＥＤユニット４０の前側（ＬＥＤユニット４０に対して移動方向の下流側）に配置されている。この位置決め部材１４０は、本体フレーム１５（左側のサイドフレーム１５Ａの内面）に固定される上下に長い板状の基部１４１と、基部１４１の後面上部から略半球状に突出する第１位置決め部１１２と、基部１４１の後面下部から略半球状に突出する第２位置決め部１２２とから構成されている。
【００７０】
第３位置決め部材１３０は、ＬＥＤユニット４０（フレーム本体４２Ａ）の右端側（長手方向他端側）、かつ、前後方向において位置決め部材１４０と同じＬＥＤユニット４０の前側であって、上下方向において第１位置決め部１１２と第２位置決め部１２２との間、略中央に配置されている。この第３位置決め部材１３０は、本体フレーム１５（右側のサイドフレーム１５Ａの内面）に固定される板状の基部（図示省略）と、基部の後面から略半球状に突出する第３位置決め部１３２とから構成されている。
【００７１】
本実施形態において、第２押圧部材４６は、ＬＥＤユニット４０の左右両端側であって、ＬＥＤユニット４０の後側に配置されている。詳細には、左端側の第２押圧部材４６は、ＬＥＤユニット４０を押圧する押圧部４６Ｄが、ＬＥＤユニット４０を挟んで位置決め部材１４０と対向する位置で、上下方向において第１位置決め部１１２と第２位置決め部１２２との間の略中央に位置するように配置されている。また、図示は省略するが、右端側の第２押圧部材４６は、ＬＥＤユニット４０を押圧する押圧部４６Ｄが、ＬＥＤユニット４０を挟んで第３位置決め部材１３０と対向するように配置されている。
【００７２】
以上のような構成により、第２実施形態のＬＥＤユニット４０は、位置決め部材１４０の第１位置決め部１１２と第２位置決め部１２２が支持フレーム４２の左端側上下に当接し、第３位置決め部１３２が支持フレーム４２の右端後中央に当接することで、感光体ドラム５３に対する前後方向の位置が決められる。
【００７３】
本実施形態において、押圧バネ４５の作用点４５Ａは、上下方向において第１位置決め部１１２と第２位置決め部１２２との間の略中央に位置している。さらに述べると、作用点４５Ａは、図６に示すように、前後方向から見て第１位置決め部１１２、第２位置決め部１２２および第３位置決め部１３２によって形成される三角形（鎖線参照）の領域内（三角形の辺上を含む）に位置している。
【００７４】
ここで、本実施形態において、押圧バネ４５の作用点４５Ａが前記した位置にあることによる作用について説明する。図７は本実施形態の作用を説明するための図であり、押圧バネの作用点が第１位置決め部材と第２位置決め部材との間に位置する実施形態の構成を示す図（ａ）と、押圧バネの作用点が第１位置決め部材の上方に位置する第１比較例の構成を示す図（ｂ）と、押圧バネの作用点が第２位置決め部材の下方に位置する第２比較例の構成を示す図（ｃ）である。
【００７５】
図７（ａ）に示す本実施形態の構成では、微細な振動が発生して、作用点４５Ａが前方にずれて力ＦFが作用した場合には、ＬＥＤユニット４０は第１位置決め部１１２および第２位置決め部１２２によって支持される。また、作用点４５Ａが後方にずれて力ＦRが作用した場合には、第２押圧部材４６の押圧力によってＬＥＤユニット４０が位置決め部（位置決め部材）から離れることが規制される。これにより、ＬＥＤユニット４０の感光体ドラム５３に対する前後方向の位置を安定させることができる。
【００７６】
このように、本実施形態の構成では、振動によって作用点４５Ａが前後のいずれにずれても、ＬＥＤユニット４０が位置決め部材から離れる作用（振動の影響）を抑制して、ＬＥＤユニット４０の感光体ドラム５３に対する前後方向の位置を安定させることができる。
【００７７】
一方、図７（ｂ）に示す作用点４５Ａが第１位置決め部１１２の上方に位置する第１比較例の構成、および、図７（ｃ）に示す作用点４５Ａが第２位置決め部１２２の下方に位置する第２比較例の構成では、ＬＥＤユニット４０の感光体ドラム５３に対する位置を安定させることができない。
【００７８】
すなわち、図７（ｂ）および図７（ｃ）において、作用点４５Ａが前方にずれて力ＦFが作用した場合には、作用点４５Ａと揺動中心となる支点Ｏ３（または支点Ｏ４）との距離が近いので、ＬＥＤユニット４０は微細な振動による比較的小さな力でも揺動しにくい。しかしながら、図７（ｂ）において押圧部４６Ｄが第１位置決め部１１２寄りに位置する場合や図７（ｃ）において押圧部４６Ｄが第２位置決め部１２２寄りに位置する場合などにおいては、てこの原理により、押圧部４６Ｄを直接押す場合よりも小さな力で第２押圧部材４６を揺動させることが可能となる。したがって、本実施形態の構成と比較してＬＥＤユニット４０の位置は不安定となることがある。
【００７９】
また、作用点４５Ａが後方にずれて力ＦRが作用した場合には、作用点４５Ａと揺動中心となる第２押圧部材４６の押圧部４６Ｄとの距離が遠くなるので、ＬＥＤユニット４０は微細な振動による比較的小さな力でも揺動して第１位置決め部１１２（または第２位置決め部１２２）から離れてしまうので、ＬＥＤユニット４０の位置は安定しない。
以上より、第１比較例および第２比較例の構成では、ＬＥＤユニット４０の感光体ドラム５３に対する位置を安定させることができない。
【００８０】
以上によれば、本実施形態において以下のような効果を得ることができる。
第１位置決め部１１２と第２位置決め部１２２がＬＥＤユニット４０の前側に配置され、第２押圧部材４６の押圧部４６Ｄが上下方向において第１位置決め部１１２と第２位置決め部１２２との間に位置しているので、ＬＥＤユニット４０が位置決め部材から離れる作用を抑制して、ＬＥＤユニット４０の感光体ドラム５３に対する位置を安定させることができる。これにより、カラープリンタ１における画像品質の低下を抑制することができる。
【００８１】
押圧バネ４５の作用点４５Ａが、前後方向から見て第１位置決め部１１２、第２位置決め部１２２および第３位置決め部１３２によって形成される三角形の領域内に位置しているので、ＬＥＤユニット４０が三角形の辺を軸として回転する力を最小限とすることができる。
【００８２】
なお、本実施形態では、位置決め部材１４０（第１位置決め部１１２と第２位置決め部１２２）がＬＥＤユニット４０の前側（移動方向の下流側）に配置された構成を示したが、本発明はこれに限定されるものではない。すなわち、第１位置決め部材と第２位置決め部材が移動方向の上流側に配置される構成としてもよい。
【００８３】
また、本実施形態では、位置決め部材１４０（第１位置決め部１１２と第２位置決め部１２２）がＬＥＤユニット４０の左端側に配置された構成を示したが、本発明はこれに限定されるものではない。すなわち、第１位置決め部材と第２位置決め部材がＬＥＤユニット４０の右端側に配置される構成としてもよい。
【００８４】
［第３実施形態］
次に、本発明の第３実施形態について、適宜図面を参照しながら詳細に説明する。図８は第３実施形態のＬＥＤユニットおよびＬＥＤユニット周辺の構成を左方から見た図である。なお、本実施形態は、前記した位置決め部材１４０の代わりに第４位置決め部材１５０が採用されている点が第２実施形態と異なるだけなので、その点について説明し、同様の構成要素については同一符号を付してその説明を省略することとする。
【００８５】
図８に示すように、第４位置決め部材１５０は、本体フレーム１５（左側のサイドフレーム１５Ａの内面）に固定されており、上下方向において所定の長さを有する長板状に形成されている。第４位置決め部材１５０は、後面である位置決め面１５２がＬＥＤユニット４０（支持フレーム４２）に面接触することで、前後方向においてＬＥＤユニット４０の位置を決めている。
【００８６】
本実施形態において、左端側の第２押圧部材４６は、ＬＥＤユニット４０を挟んで第４位置決め部材１５０に対面する位置、詳細には、第４位置決め部材１５０の上端と下端との間の略中央に配置され、ＬＥＤユニット４０を第４位置決め部材１５０に向けて押圧している。
【００８７】
本実施形態において、押圧バネ４５の作用点４５Ａは、前後方向から見てＬＥＤユニット４０（支持フレーム４２）と第４位置決め部材１５０とが面接触する領域の外枠の範囲内の略中央に位置している。
【００８８】
以上によれば、本実施形態において前記した第２実施形態と同等の効果を得ることができる。
また、第４位置決め部材１５０とＬＥＤユニット４０とが面接触しているので、ＬＥＤユニット４０をより安定して支持することができる。
【００８９】
以上、本発明の実施形態について説明したが、本発明は前記した実施形態に限定されるものではない。具体的な構成については、本発明の趣旨を逸脱しない範囲で適宜変更が可能である。
【００９０】
前記した実施形態で示した各位置決め部材１１０，１２０，１３０，１４０，１５０の構成は一例であり、本発明はこれに限定されるものではない。すなわち、各位置決め部材は、前記した各位置決め部材１１０，１２０，１３０，１４０，１５０と同等の作用を発揮する構成であれば、本発明の趣旨を逸脱しない範囲で適宜変更することができる。
【００９１】
前記した実施形態では、第１押圧部材の一例として押圧バネ４５（圧縮コイルバネ）を採用した例を示したが、本発明はこれに限定されず、例えば、トルクバネや板バネ、バネ以外で所定の弾性を有する材料や部材などを採用してもよい。
【００９２】
前記した実施形態では、第２押圧部材４６は、ＬＥＤユニット４０を挟んで位置決め部材と対向するように配置した例を示したが、本発明はこれに限定されるものではない。例えば、前記した第１実施形態において、第２位置決め部材を、前後方向から見て第２位置決め部材１２０と第３位置決め部材１３０との間の略中央に１つだけ配置する構成としてもよい。また、前記した第２実施形態において、第２位置決め部材を、前後方向から見て第３位置決め部１３２から、第１位置決め部１１２と第２位置決め部１２２を結ぶ辺に延ばした垂線の略中央に１つだけ配置する構成としてもよい。
【００９３】
なお、第２押圧部材が「露光ユニットを第２位置決め部材に向けて押圧する」とは、露光ユニットを少なくとも第２位置決め部材に向けて押圧するという意味であり、第２押圧部材によって露光ユニットを第１位置決め部材や第３位置決め部材にも押圧する構成を除く趣旨ではない。また、第２押圧部材は、１つ露光ユニットに対して３つ以上設けてもよい。
【００９４】
前記した実施形態で示した第２押圧部材４６の構成は一例であり、本発明はこれに限定されるものではない。すなわち、第２押圧部材は、前記した第２押圧部材４６と同等の作用を発揮する構成であれば、本発明の趣旨を逸脱しない範囲で適宜変更することができる。例えば、第２押圧部材として、コイルバネや板バネ、バネ以外で所定の弾性を有する材料や部材などを採用してもよい。
【００９５】
前記した実施形態では、明滅部の一例として複数のＬＥＤが配列されたＬＥＤアレイ４１Ａを採用した例を示したが、本発明はこれに限定されず、例えば、ＥＬ（エレクトロ・ルミネッセンス）素子や蛍光体など採用してもよい。また、複数の明滅部を構成するのに、発光素子は１つであってもよい。例えば、蛍光灯などのバックライトを１つ配置し、バックライトの出射側に、配列された液晶素子やＰＬＺＴ素子などの光学シャッタを設けた構成としてもよい。すなわち、１つの発光素子と配列された光学シャッタとを組み合わせることで複数の明滅部を構成することができる。
【００９６】
前記した実施形態では、ＬＥＤユニット４０（露光ユニット）をＬＥＤヘッド４１（露光部材）と支持フレーム４２とから主に構成した例を示したが、本発明の露光ユニットの構成は特に限定されるものではない。例えば、露光部材と支持フレームとを一体（１つの部品）とした構成であってもよい。
【００９７】
前記した実施形態では、感光体の一例として感光体ドラム５３を例示したが、本発明はこれに限定されず、例えば、感光体ベルトなどであってもよい。
【００９８】
前記した実施形態では、画像形成装置の一例としてカラープリンタ１を示したが、本発明はこれに限定されず、例えば、カラー複写機やカラー複合機などであってもよい。また、前記した実施形態では、カラー画像の形成が可能な画像形成装置（カラープリンタ１）を示したが、本発明はこれに限定されず、モノクロ画像を形成するプリンタ、複写機、複合機などであってもよい。
【００９９】
なお、本発明において、「光軸方向において第１位置決め部材と第２位置決め部材との間」とは、光軸方向において第１位置決め部材または第２位置決め部材と同じ位置（重なる位置）を含むものとする。また、「第１位置決め部材、第２位置決め部材および第３位置決め部材によって形成される三角形の領域内」とは、感光体の移動方向から見た三角形の辺と重なる位置を含むものとする。さらに、「露光ユニットと第４位置決め部材とが面接触する領域の外枠の範囲内」とは、感光体の移動方向から見た外枠と重なる位置を含むものとする。
【図面の簡単な説明】
【０１００】
【図１】画像形成装置の一例としてのカラープリンタの全体構成を示す断面図である。
【図２】ＬＥＤユニットおよびＬＥＤユニット周辺の構成を前方から見た図である。
【図３】ＬＥＤユニットおよびＬＥＤユニット周辺の構成を左方から見た図である。
【図４】第１実施形態の作用を説明するための図であり、押圧バネの作用点が第１位置決め部材と第２位置決め部材との間に位置する実施形態の構成を示す図（ａ）と、押圧バネの作用点が第１位置決め部材の上方に位置する比較例の構成を示す図（ｂ）と、押圧バネの作用点が第２位置決め部材の下方に位置する変形例の構成を示す図（ｃ）である。
【図５】第２実施形態のＬＥＤユニットおよびＬＥＤユニット周辺の構成を左方から見た図である。
【図６】第２実施形態のＬＥＤユニットおよびＬＥＤユニット周辺の構成を前方から見た図である。
【図７】第２実施形態の作用を説明するための図であり、押圧バネの作用点が第１位置決め部材と第２位置決め部材との間に位置する実施形態の構成を示す図（ａ）と、押圧バネの作用点が第１位置決め部材の上方に位置する第１比較例の構成を示す図（ｂ）と、押圧バネの作用点が第２位置決め部材の下方に位置する第２比較例の構成を示す図（ｃ）である。
【図８】第３実施形態のＬＥＤユニットおよびＬＥＤユニット周辺の構成を左方から見た図である。
【符号の説明】
【０１０１】
１      カラープリンタ
４０    ＬＥＤユニット
４１    ＬＥＤヘッド
４１Ａ  ＬＥＤアレイ
４２    支持フレーム
４５    押圧バネ
４５Ａ  作用点
４６    第２押圧部材
５３    感光体ドラム
１１０  第１位置決め部材
１１２  第１位置決め部
１２０  第２位置決め部材
１２２  第２位置決め部
１３０  第３位置決め部材
１３２  第３位置決め部
１５０  第４位置決め部材
１５２  位置決め面
【図１】
2010052153.tif 000003
【図２】
2010052153.tif 000004
【図３】
2010052153.tif 000005
【図４】
2010052153.tif 000006
【図５】
2010052153.tif 000007
【図６】
2010052153.tif 000008
【図７】
2010052153.tif 000009
【図８】
2010052153.tif 000010